(57)【特許請求の範囲】
【請求項１】
活性汚泥を利用して原水を処理し膜ろ過により処理水を分離する生物反応槽と、該生物反応槽の前段に設けられ該生物反応槽に原水を直接または間接に供給する１または複数の最初沈殿池とを備えた排水処理システムであって、
前記原水の流入を停止し、前記生物反応槽の運転を停止して、前記生物反応槽内の前記原水を静置して前記活性汚泥を沈殿させた後、上澄水を引き抜く上澄水引抜き手段と、
前記上澄水引抜き手段により引き抜かれた上澄水に凝集剤を添加する凝集剤添加手段と、
前記凝集剤添加手段により凝集剤が添加された上澄水を混合する混合手段と、
前記混合手段により混合された上澄水を前記１または複数の最初沈殿池のうち少なくとも１つに返送する上澄水返送手段と
を備えたことを特徴とする排水処理システム。
【請求項２】
前記上澄水返送手段は、前記生物反応槽と前記上澄液の返送先となる最初沈殿池とを連結する配管を含み、
前記凝集剤添加手段および前記凝集剤混合手段は、前記配管の途中に設けられていることを特徴とする請求項１に記載の排水処理システム。
【請求項３】
活性汚泥を利用して原水を処理し膜ろ過により処理水を分離する生物反応槽と、該生物反応槽の前段に設けられ該生物反応槽に原水を直接または間接に供給する１または複数の最初沈殿池とを備えた汚水処理システムが行う汚水処理方法であって、
前記原水の流入を停止し、前記生物反応槽の運転を停止して、前記生物反応槽内の前記原水を静置して前記活性汚泥を沈殿させた後、上澄水を引き抜く上澄水引抜きステップと、
前記上澄水引抜きステップにおいて引き抜かれた上澄水に凝集剤を添加する凝集剤添加ステップと、
前記凝集剤添加ステップにおいて凝集剤が添加された上澄水を混合する混合ステップと、
前記混合ステップにおいて混合された上澄水を前記１または複数の最初沈殿池のうち少なくとも１つに返送する上澄水返送ステップと
を備えたことを特徴とする排水処理方法。
【請求項４】
前記上澄水返送ステップにおいて、前記生物反応槽内の上澄水は、前記生物反応槽と前記上澄液の返送先となる最初沈殿池とを連結する配管によって返送され、
前記凝集剤添加ステップにおいて、前記凝集剤は前記配管の途中に設けられた注入口から注入され、
前記凝集剤混合ステップにおいて、前記配管の前記注入口の下流に設けられたミキサが前記凝集剤が添加された上澄水を混合することを特徴とする請求項３に記載の排水処理方法。
【発明の詳細な説明】
【技術分野】
【０００１】
本発明は、排水処理システムおよび排水処理方法に係り、特に膜ろ過により処理水を得る膜分離活性汚泥法を利用した排水処理システムおよび排水処理方法に関する。
【背景技術】
【０００２】
従来、産業排水や下水等の処理システムでは膜分離活性汚泥法が用いられている。膜分離活性汚泥法とは、生物反応槽内で活性汚泥を利用した生物反応処理によって原水を処理し、生物反応槽内に浸漬した膜エレメントで、処理した原水をろ過することにより処理水（膜ろ過水）を得るものである。この方法は、固液分離の手法として膜ろ過を採用しているため、処理水への濁質分の流出を防ぐことができ、かつ大腸菌も完全に除去できることから、衛生的でかつ透明度の高い処理水を安定して得ることができるという特徴を持っている。また、活性汚泥の高濃度保持が可能であるため、処理時間の短縮および処理施設のコンパクト化を図ることができる。
【０００３】
このように、膜分離活性汚泥法は非常に利点の多い処理法であるが、膜の目詰まりという大きな問題を抱えている。特にフロックを形成していない微細な汚泥、生物の代謝物などの高分子有機物が目詰まりを起こす原因となる。この目詰まりが膜の運転の安定性の維持を損ない、また、単位面積当たりのろ過量（Ｆｌｕｘ）を限定する要因となっている。
【０００４】
この問題を解決するため、間欠的／一時的に生物反応槽内で活性汚泥を沈殿させ、微細な汚泥等が含まれる上澄水を引き抜くことで、ろ過処理の向上を図り、膜の運転の安定性を確保し、また、膜の単位面積あたりのろ過流量（Ｆｌｕｘ）を向上させ、または低下させない方法が存在する（例えば、特許文献１参照）。
【０００５】
生物反応槽から引き抜いた上澄水には、沈降速度の遅い微細な汚泥、フロックを形成していない微生物および／または微生物群、および汚泥に取り込まれていない、微生物代謝物である有機性高分子が含まれている。これらが再び生物反応槽に流入して膜に到達することによる膜ろ過への悪影響を鑑みて、特許文献１においては、生物反応槽から引き抜いた上澄水は排水処理システムの系外へ排出している。
【先行技術文献】
【特許文献】
【０００６】
【特許文献１】特開２００４−１４１８７４号公報
【発明の概要】
【発明が解決しようとする課題】
【０００７】
しかしながら、原水流量の一部を上澄水として引き抜いて排水処理システムの系外に排出すると、上澄水として引き抜いた水量だけ膜ろ過される水量は減少することとなる。したがって、膜分離活性汚泥法を適用する目的が処理水の再利用にある場合、再利用できる水量が減少してしまうという問題があった。
【０００８】
すなわち、膜分離活性汚泥法による膜ろ過の目的が排水の浄化処理のみであり、処理水を河川、海洋などの環境中に放流するため処理水の用途が特段にないというのであれば、膜ろ過の水量の減少は特に問題とならない。また、引き抜いた上澄水は生物処理を施した後の上澄水であるため、環境中に放流することに水質上の問題も特に生じない。しかしながら、通常の活性汚泥法よりも処理水の水質が非常によいという膜分離活性汚泥法の特徴を生かして、膜ろ過した処理水を再利用する場合、特に再利用のためにＮＦ膜（Ｎａｎｏｆｉｌｔｒａｔｉｏｎ Ｍｅｍｂｒａｎｅ）やＲＯ膜（Ｒｅｖｅｒｓｅ Ｏｓｍｏｓｉｓ Ｍｅｍｂｒａｎｅ）による膜ろ過を行う場合には、膜ろ過水量が減少することはそのまま再利用水量が減少することとなる。
【０００９】
引き抜いた上澄水を系外の環境中に放流せずに、排水処理システム内に返送すれば膜ろ過水量の減少は防ぐことができる。しかし、上澄水の中に含まれて排出された、沈降速度の遅い微細な汚泥、フロックを形成していない微生物および／または微生物群、および汚泥に取り込まれていない、微生物代謝物である有機性高分子が、再び生物反応槽に流入してしまうため、膜に到達してしまうこととなり、膜ろ過への悪影響が生じる。
【００１０】
本発明は、このような事情に鑑みてなされたものであり、原水から上澄水を引き抜く場合にも膜ろ過される原水の水量を減らさず、かつ、膜の目詰まりを防止することが可能な排水処理システムおよび排水処理方法を提供することを目的とする。
【課題を解決するための手段】
【００１１】
上記目的を達成するために、本発明に係る排水処理システムは、活性汚泥を利用して原水を処理し膜ろ過により処理水を分離する生物反応槽と、該生物反応槽の前段に設けられ該生物反応槽に原水を直接または間接に供給する１または複数の最初沈殿池とを備えた排水処理システムであって、前記原水の流入を停止し、前記生物反応槽の運転を停止して、前記生物反応槽内の前記原水を静置して前記活性汚泥を沈殿させた後、上澄水を引き抜く上澄水引抜き手段と、前記上澄水引抜き手段により引き抜かれた上澄水に凝集剤を添加する凝集剤添加手段と、前記凝集剤添加手段により凝集剤が添加された上澄水を混合する混合手段と、前記混合手段により混合された上澄水を前記１または複数の最初沈殿池のうち少なくとも１つに返送する上澄水返送手段とを備えたことを特徴とする。
【００１２】
本発明によれば、排水処理システムは、生物反応槽内の上澄水を引き抜き、該引き抜かれた上澄水に凝集剤を添加して混合し、該混合された上澄水を、生物反応槽の前段に設けられた１または複数の最初沈殿池のうち少なくとも１つに返送するため、原水から上澄水を引き抜く場合にも膜ろ過される原水の水量を減らさず、かつ、膜の目詰まりを防止することができる。
【００１３】
また、前記排水処理システムにおいて、前記上澄水返送手段は、前記生物反応槽と前記上澄液の返送先となる最初沈殿池とを連結する配管を含み、前記凝集剤添加手段および前記凝集剤混合手段は、前記配管の途中に設けられていることを特徴とする。
本発明によれば、配管内で簡易に上澄水に凝集剤を添加して混合することができる。
【００１４】
本発明に係る排水処理方法は、活性汚泥を利用して原水を処理し膜ろ過により処理水を分離する生物反応槽と、該生物反応槽の前段に設けられ該生物反応槽に原水を直接または間接に供給する１または複数の最初沈殿池とを備えた汚水処理システムが行う汚水処理方法であって、前記生物反応槽内の上澄水を引き抜く上澄水引抜きステップと、前記上澄水引抜きステップにおいて引き抜かれた上澄水に凝集剤を添加する凝集剤添加ステップと、前記凝集剤添加ステップにおいて凝集剤が添加された上澄水を混合する混合ステップと、前記混合ステップにおいて混合された上澄水を前記１または複数の最初沈殿池のうち少なくとも１つに返送する上澄水返送ステップとを備えたことを特徴とする。
【００１５】
また、本発明に係る排水処理方法は、前記上澄水返送ステップにおいて、前記生物反応槽内の上澄水は、前記生物反応槽と前記上澄液の返送先となる最初沈殿池とを連結する配管によって返送され、前記凝集剤添加ステップにおいて、前記凝集剤は前記配管の途中に設けられた注入口から注入され、前記凝集剤混合ステップにおいて、前記配管の前記注入口の下流に設けられたミキサが前記凝集剤が添加された上澄水を混合することを特徴とする。
【発明の効果】
【００１６】
本発明によれば、排水処理システムは、生物反応槽内の上澄水を引き抜き、該引き抜かれた上澄水に凝集剤を添加して混合し、該混合された上澄水を、前記生物反応槽の前段に設けられた１または複数の最初沈殿池のうち少なくとも１つに返送するため、原水の上澄水を引き抜く場合にも、膜ろ過処理により再利用される処理水の量を減らすことなく、かつ、膜の目詰まりを防止することができる。
【図面の簡単な説明】
【００１７】
【図１】本発明の第１の一実施形態に係る排水処理システムの装置系統図である。
【図２】同実施形態に係る排水処理システムが行う膜分離活性汚泥法による上澄水引抜き工程を示すフロー図である。
【図３】本発明の第２の実施形態に係る排水処理システムの装置系統図である。
【図４】同実施形態に係る排水処理システムが行う上澄水引抜き工程を示すフロー図である。
【図５】本発明の第３の実施形態に係る排水処理システムの装置系統図である。
【図６】同実施形態に係る排水処理システムが行う上澄水引抜き工程を示すフロー図である。
【図７】本発明の第４の実施形態に係る排水処理システムの装置系統図である。
【図８】本発明の第５の実施形態に係る排水処理システムの装置系統図である。
【図９】本発明の第６の実施形態に係る排水処理システムの装置系統図である。
【発明を実施するための形態】
【００１８】
以下、添付図面を参照して、本発明の実施の形態について説明する。
（第１の実施形態）
図１は、本発明の第１の一実施形態に係る排水処理システムの装置系統図である。同図に示すように、排水処理システムは、流量調整槽８０と最初沈殿池７０と生物反応槽１００とを備え、工場や家庭から排出された産業排水や下水が、有機性の原水としてこの順序で通水される。
【００１９】
生物反応槽１００は、無酸素槽１０と好気槽２０と膜分離槽３０とで構成される。無酸素槽１０は、無酸素条件下で原水に含まれる活性汚泥中の脱窒菌によって脱窒処理が行われ、硝酸や亜硝酸は窒素ガスと水とに分解される。無酸素槽１０の底部には、原水を撹拌して生物反応を促進する無酸素槽撹拌装置１２０が設置されている。
【００２０】
好気槽２０は、好気条件下で活性汚泥にリンが取り込まれるとともに、活性汚泥中の硝化菌によって硝化処理が行われる。好気槽２０の底部には、原水に空気を供給するために気泡を発生させる好気槽曝気装置１７０が設けられている。
【００２１】
膜分離槽３０の内部には、固液分離用の膜４０が設置されている。膜４０は、膜ろ過水（処理水）と汚泥とを分離し、分離した膜ろ過水を回収して再利用する。この膜４０の形状は、平膜、中空糸、チューブラー、モノリスのいずれでもよく、またその材質もＰＶＤＦやＰＡＮ、ＣＡなどの有機素材でも、またセラミック、金属などの無機素材でもよい。
【００２２】
膜分離槽３０の底部には、気泡を発生させて膜４０を洗浄する膜洗浄散気装置１１０と、余剰汚泥１８０を引き抜くための不図示のバルブ等の開閉装置を含む配管とが設けられている。
【００２３】
膜分離槽３０と無酸素槽１０とは汚泥循環のための配管１３０で接続されており、当該配管には汚泥循環ポンプ１４５が設けられている。膜分離槽３０内の原水は、当該配管を介して膜分離槽３０から無酸素槽１０へ返送され、再処理される。
【００２４】
無酸素槽１０と最初沈殿池７０とは配管１５４で連結されている。無酸素槽１０の内側に突出している配管１５４の先端部分には、上澄水を流入させるポート１５２が設けられている。配管１５４の無酸素槽１０外側部分には、上澄水引抜きバルブ１６０と、上澄水引抜きポンプ１５０と、ラインミキサ９０と、凝集剤６０を配管１５４内に注入する注入口１５６とが設けられている。上澄水引抜きポンプ１５０は、ポート１５２および配管１５４を介して、無酸素槽１０内の上澄水を吸引し、最初沈殿池７０に送水する。上澄水引抜きバルブ１６０は、開閉されることにより、無酸素槽１０から最初沈殿池７０への上澄水流入の開始および停止を制御する。注入口１５６は、上澄水が配管１５４を流れている時に凝集剤６０を注入する開口である。ラインミキサ９０は、注入口１５６の下流に設けられており、配管１５４を流れる無酸素槽１０からの上澄水と注入口１５６から注入された凝集剤６０とを混合する。
【００２５】
また、排水処理システムには、膜４０、汚泥循環ポンプ１４５、上澄水引抜きポンプ１５０、ラインミキサ９０、無酸素槽撹拌装置１２０、好気槽曝気装置１７０、膜洗浄散気装置１１０等の運転やバルブ開閉を制御するための制御部２００も設けられている。
【００２６】
ここで、ポート１５２と上澄水引抜きポンプ１５０と上澄水引抜きバルブ１６０とが、上澄水引抜き手段を構成する。なお、上澄水引抜きポンプ１５０を設置または使用せずに、上澄水引抜きバルブ１６０のみで上澄水引抜き手段を構成してもよい。この場合には、水位差を利用して、上澄水引抜きバルブ１６０の開閉のみで上澄水を引き抜くこととなる。また、凝集剤６０の注入口１５６は凝集剤添加手段を構成し、ラインミキサ９０は混合手段を構成する。
【００２７】
添加する凝集剤６０は、特に制限はなく、塩化第二鉄、ポリ塩化アルミニウム、硫酸バンド、ポリ硫酸第二鉄などの無機系凝集剤、ポリアクリルアミド系などの有機高分子系の凝集剤、キトサン、ポリグルタミン酸などを用いた生分解性の凝集剤などの中から当該施設の上澄水中に含まれる物質に適合したものを選定すればよい。また、凝集剤６０を添加する前または同時にｐＨ調整を行うための酸、アルカリなどの薬剤を同時に添加してもよい。
【００２８】
なお、上澄水の引抜きは、粘度、粒度分布、ろ過比抵抗、上澄水透視度、上澄水濁度、処理水色度、ＴＯＣなどの汚泥性状を、汚泥性状測定装置を用いてモニタリングし、その汚泥性状の値がある値となった際に行ってもよく、またタイマー設定により定期的に行ってもよい。
【００２９】
上記構成の排水処理システムにおいて、通常運転時には、工場や家庭から排出された産業排水や下水としての有機性の原水が、流量調整槽８０に流入する。流量調整槽８０では、最初沈殿池７０に流入させる原水の流量が調整され、流量調整槽８０から最初沈殿池７０に原水が流入する。最初沈殿池７０からオーバーフローした原水１４０は、無酸素槽１０に流入する。
【００３０】
無酸素槽１０では無酸素条件下で脱窒処理が行われる。無酸素槽１０から汚泥は好気槽２０に流れ、好気槽２０では好気条件下で硝化処理が行われる。好気槽２０から汚泥は膜分離槽３０に流れ、膜分離槽３０では膜４０で固液が分離される。分離された膜ろ過水は回収され再利用される。一方、分離された汚泥は循環汚泥として配管１３０を通じて無酸素槽１０に戻され、排水処理システムの系内を循環する。また、余剰汚泥１８０の引抜きが行われる。
【００３１】
図２は、本実施形態に係る排水処理システムが行う膜分離活性汚泥法による上澄水引抜き工程を示すフロー図である。上述した通常のろ過運転（ステップＳ１０１）中に上澄水引抜き工程を開始する場合、制御部２００により、原水１４０の流入停止、無酸素槽１０の無酸素槽撹拌装置１２０による撹拌停止、および汚泥循環停止を行い（ステップＳ１０２）、無酸素槽１０中の原水を静置して汚泥を沈殿させる（ステップＳ１０３）。
【００３２】
一定期間、無酸素槽１０を静置して汚泥を沈殿させた後、上澄水引抜きポンプ１５０を駆動させて、ポート１５２を介して配管１５４へ上澄水を引き抜く（ステップＳ１０４）。引き抜く上澄水は上澄水の全量でなくてもよく、また、場合によっては、一部沈殿した汚泥の上部の汚泥を含んでいてもよい。
【００３３】
次に、この引き抜かれて配管１５４中を流れる上澄水に、配管１５４の注入口１５６から凝集剤６０を添加し（ステップＳ１０５）、凝集剤６０が添加された上澄水をラインミキサ９０で混合し（ステップＳ１０６）、これを最初沈殿池７０に返送する（ステップＳ１０７）。
【００３４】
上澄水の返送終了後、原水１４０の流入、無酸素槽撹拌装置１２０による撹拌および汚泥循環を再開することにより（ステップＳ１０８）、上澄水引抜き工程を終了し、通常運転に戻る（ステップＳ１０９）。
【００３５】
このように、無酸素槽１０から引き抜いた上澄水を排水処理システムの系外に排出せずに最初沈殿池７０に返送することによって、引き抜いた上澄水を膜分離槽３０で膜ろ過することができる。このため、排水処理システムから回収される膜ろ過水の量を減じることなく、上澄水の引抜きが可能となる。また、凝集剤６０を添加された上澄水中に含まれる、膜ろ過の安定性を損なう沈降速度の遅い微細な汚泥、フロックを形成していない微生物および／または微生物群、および汚泥に取り込まれていない、微生物代謝物である有機性高分子は、粗大化して最初沈殿池７０に沈殿することで、最初沈殿池７０にて除去される。また、最初沈殿池７０で除去しきれなかったものは無酸素槽１０中の活性汚泥に取り込まれるため、これらが膜４０に接触することによって膜４０が目詰まりすることがなく、安定運転が損なわれることがない。
【００３６】
なお、凝集剤添加手段および混合手段として、撹拌機構のある凝集剤混和槽を用いてもよいが、最初沈殿池７０でフロックが完全に沈降せずとも、無酸素槽１０、好気槽２０または膜分離槽３０中の活性汚泥に取り込まれればよいため、フロックを最初沈殿池７０で完全に沈殿するほど粗大化する必要がない。そのため、凝集剤６０は配管１５４中に注入し、ラインミキサ９０で十分に混和さえすればよく、粗大フロック化する必要はない。また、上澄水にのみ凝集剤６０を添加するため、凝集対象は上澄水に含まれる数１０〜数１００ｍｇ／Ｌのわずかな量の沈降速度の遅い微細な汚泥、フロックを形成していない微生物および／または微生物群、および汚泥に取り込まれていない、微生物代謝物である有機性高分子となり、凝集剤６０の添加量は、生物反応槽１００へ直接添加する場合よりも大幅に少なくてよい。
【００３７】
また、上澄水の返送先は、最初沈殿池７０の容量によっては流量調整槽８０でもよく、流量調整槽８０を沈殿池の代替として使用することも可能である。また、最初沈殿池７０と流量調整槽８０との両方に上澄水を返送することも可能である。
【００３８】
（第２の実施形態）
図３は、本発明の第２の実施形態に係る排水処理システムの装置系統図である。本実施形態が第１の実施形態と異なる点は、無酸素槽１０からではなく、好気槽２０から上澄水を引き抜いている点である。したがって、本実施形態では、上澄水を引き抜くための配管１５４およびポート１５２が、無酸素槽１０ではなく、好気槽２０に設けられている。
【００３９】
図４は、本実施形態に係る排水処理システムが行う上澄水引抜き工程を示すフロー図である。通常運転（ステップＳ１０１）中に上澄水引抜き工程を開始する場合、制御部２００により、原水１４０の流入、汚泥循環および好気槽２０の好気槽曝気装置１７０を停止し（ステップＳ２０２）、好気槽２０内の原水を静置して汚泥を沈殿させる（ステップＳ２０３）。ステップＳ１０４からステップＳ１０７までの処理は、第１の実施形態と同様である。ステップＳ２０８においては、原水１４０の流入、汚泥循環、および好気槽曝気装置１７０による曝気を再開することにより、上澄水引抜き工程を終了し、通常運転に戻る（ステップＳ１０９）。
【００４０】
（第３の実施形態）
図５は、本発明の第３の実施形態に係る排水処理システムの装置系統図である。本実施形態が第１の実施形態と異なる点は、無酸素槽１０からではなく、膜分離槽３０から上澄水を引き抜いている点である。したがって、本実施形態では、上澄水を引き抜くための配管１５４およびポート１５２が膜分離槽３０に設けられている。
【００４１】
図６は、本実施形態に係る排水処理システムが行う上澄水引抜き工程を示すフロー図である。通常運転（ステップＳ１０１）中に上澄水引抜き工程を開始する場合、制御部２００により、原水１４０の流入、汚泥循環、余剰汚泥１８０の引抜き、膜分離槽３０の膜洗浄散気装置１１０および膜分離槽３０の膜４０によるろ過を停止し（ステップＳ３０２）、膜分離槽３０内の原水を静置して汚泥を沈殿させる（ステップＳ３０３）。ステップＳ１０４からステップＳ１０７までの処理は第１の実施形態と同様である。ステップＳ３０８においては、原水１４０の流入、汚泥循環、余剰汚泥１８０の引抜き、膜分離槽３０の膜洗浄散気装置１１０および膜分離槽３０の膜４０によるろ過を再開することにより、上澄水引抜き工程を終了し、通常運転に戻る（ステップＳ１０９）。
【００４２】
以上の第２の実施形態および第３の実施形態に示したように、上澄水引抜き手段を構成する配管１５４およびポート１５２は、生物反応槽１００を構成する無酸素槽１０、好気槽２０および膜分離槽３０のどの槽でも設けることができる。
【００４３】
（第４の実施形態）
図７は、第４の実施形態に係る排水処理システムの装置系統図である。本実施形態が第１の実施形態と異なる点は、好気槽２０が構成要素となっておらず、本実施形態に係る膜分離槽３０が第１及び第３の実施形態に係る好気槽２０および膜分離槽３０の役割を果たしている点である。その他の装置構成及び上澄水引抜き工程は第１の実施形態と同様である。
【００４４】
本発明に係る排水処理方法は、活性汚泥を利用して原水を処理し膜ろ過により処理水を分離する生物反応槽と、該生物反応槽の前段に設けられ該生物反応槽に原水を直接または間接に供給する１または複数の最初沈殿池とを備えた汚水処理システムが行う汚水処理方法であって、前記原水の流入を停止し、前記生物反応槽の運転を停止して、前記生物反応槽内の前記原水を静置して前記活性汚泥を沈殿させた後、上澄水を引き抜く上澄水引抜きステップと、前記上澄水引抜きステップにおいて引き抜かれた上澄水に凝集剤を添加する凝集剤添加ステップと、前記凝集剤添加ステップにおいて凝集剤が添加された上澄水を混合する混合ステップと、前記混合ステップにおいて混合された上澄水を前記１または複数の最初沈殿池のうち少なくとも１つに返送する上澄水返送ステップとを備えたことを特徴とする。
【００４５】
（第６の実施形態）
図９は、第６の実施形態に係る排水処理システムの装置系統図である。本実施形態が第１の実施形態と異なる点は、上澄み水引抜き手段が、水上に浮かべたフロート型の引抜きポンプ１５８で構成されている点である。その他の装置構成及び上澄水引抜き工程は第１の実施形態と同様である。
なお、上澄み水引抜き手段は、１または複数のポート１５２と、１または複数のフロート型の引抜きポンプ１５８とを組み合わせたもので構成されていてもよい。
【００４６】
また、上述した実施形態では、生物反応槽１００の前段には流量調整槽８０および最初沈殿池７０が設けられているとして説明したが、これに限定されることはなく、生物反応槽１００の前段に２つ以上の沈殿池７０が設けられていてもよい。この場合には、２つ以上の沈殿池７０のうち、少なくとも１つの沈殿池７０に上澄水を返送するようにすればよい。
【符号の説明】
【００４７】
１０………無酸素槽、２０………好気槽、３０………膜分離槽、４０………膜、６０………凝集剤、７０………最初沈殿池、８０………流量調整槽、９０………ラインミキサ、１００………生物反応槽、１１０………膜洗浄散気装置、１２０………無酸素槽撹拌装置、１３０………配管、１４０………原水、１４５………汚泥循環ポンプ、１５０………上澄水引抜きポンプ、１５２………ポート、１５４………配管、１５６………注入口、１５８………フロート型の引抜きポンプ、１６０………上澄水引抜きバルブ、１７０………好気槽曝気装置、１８０………余剰汚泥、２００………制御部
【図１】
0005627322.tif 000002
【図２】
0005627322.tif 000003
【図３】
0005627322.tif 000004
【図４】
0005627322.tif 000005
【図５】
0005627322.tif 000006
【図６】
0005627322.tif 000007
【図７】
0005627322.tif 000008
【図８】
0005627322.tif 000009
【図９】
0005627322.tif 000010